【事件の表示】
　特許第２９５５３１６号「電子スチルカメラ」の請求項１ないし８に係る特許に対する特許異議の申立てについて、次のとおり決定する。
【結　論】
　訂正を認める。
　特許第２９５５３１６号の請求項１ないし７に係る特許を維持する。
【理　由】
I【手続きの経緯】
　特許第２９５５３１６号の請求項１〜８に係る発明についての出願は、平成２年１月５日に特許出願され、平成１１年７月１６日にその特許の設定登録がなされ、その後、その特許について、異議申立人相原光政より特許異議の申立てがなされ、取消理由通知がなされ、その指定期間内である平成１２年９月１８日に訂正請求（後日取下げ）がなされた後、再度取消理由通知がなされ、その指定期間内である平成１３年１月２９日に訂正請求がなされたものである。
II【訂正の適否についての判断】
ア．訂正の内容
　特許権者が求めている訂正の内容は、以下のａ〜ｊのとおりである。
ａ．特許請求の範囲の請求項１〜８のうち請求項６を削除し、請求項１〜７とし、その請求項１〜７の記載を次のとおりに訂正する。
「【請求項１】
　撮像手段と、当該撮像手段の出力である画像を記録するための記録手段とを有し、複数の画像を記録するに際し、記録すべき画像が属すべきグループを規定するための画像グループ情報発生手段と、上記記録すべき画像と当該画像に対応する画像グループ情報との対応関係を、記録媒体上に設けられたデータ領域に記録する手段とを備えた電子スチルカメラであって、
　上記画像グループ情報発生手段は、当該電子スチルカメラの外部に設けられた上記情報を更新可能なスイッチを含んで構成され、上記スイッチを誤って押した場合には、上記情報を上記スイッチに対する操作が行なわれる前の値に、電源スッチをオフすることにより戻すことを特徴とする電子スチルカメラ。
【請求項２】
　上記画像と画像グループ情報との対応関係を表示する表示手段とを有することを特徴とする請求項１に記載の電子スチルカメラ。
【請求項３】
　上記表示手段は画像グループ情報と記録画像のコマ番号を表示するように構成されたものであることを特徴とする請求項２に記載の電子スチルカメラ。
【請求項４】
　上記記録されたグループ情報により、一つのグループを選択設定する手段と、選択されたグループに属する記録済み画像を上記記録媒体より再生する再生手段
　とを有してなることを特徴とする請求項１に記載の電子スチルカメラ。
【請求項５】
　着脱可能な記録媒体の装着の有無を検出する媒体着脱検知手段と、上記画像グループ情報を媒体着脱時に出力される上記媒体着脱検知信号によって更新する制御手段とを有してなることを特徴とする請求項１に記載の電子スチルカメラ。
【請求項６】
　上記記録媒体としてメモリーカードを適用するようになされたことを特徴とする請求項１に記載の電子スチルカメラ。
【請求項７】
　上記記録画像と当該画像に対応する画像グループ情報との対応関係を、不揮発性メモリのデータ領域に記録する手段を備えてなることを特徴とする請求項１に記載の電子スチルカメラ。」
ｂ．明細書第１頁第３行の【発明の名称】の「画像記録装置」を、「電子スチルカメラ」と訂正する。
ｃ．明細書第２頁第３行〜第５行の【産業上の利用分野】を「本発明は、入力画像を記録媒体に記録する電子スチルカメラに関する。」と訂正する。
ｄ．明細書第７頁第１４行の「画像記録装置」を、「電子スチルカメラ」と訂正する。
ｅ．明細書第７頁第１６行〜第８頁第１１行の「上記目的を〜優れる。」を、「上記目的を達成するために、本願一の発明の電子スチルカメラは、撮像手段と、当該撮像手段の出力である画像を記録するための記録手段とを有し、複数の画像を記録するに際し、記録すべき画像が属すべきグループを規定するための画像グループ情報発生手段と、上記記録すべき画像と当該画像に対応する画像グループ情報との対応関係を、記録媒体上に設けられたデータ領域に記録する手段とを備えた電子スチルカメラであって、
　上記画像グループ情報発生手段は、当該電子スチルカメラの外部に設けられた上記情報を更新可能なスイッチを含んで構成され、上記スイッチを誤って押した場合には、上記情報を上記スイッチに対する操作が行なわれる前の値に、電源スイッチをオフすることにより戻すことを特徴とし、撮影（記録）を行ないながら画像のグループ化を行ない得る。
　また、本願他の発明の電子スチルカメラは，撮像手段と、該撮像手段の出力である画像を記録するための記録手段とを有し、複数の画像を記録するに際し、記録すべき画像が属すべきグループを規定するための画像グループ情報発生手段と、上記記録画像と当該画像に対応する画像グループ情報との対応関係を、不揮発性メモリのデータ領域に記録する手段と、を備えてなることを特徴とし、不揮発性メモリ画像の特性を活かして画像の検索に係るアクセス性に優れる。」と訂正する。
ｆ．明細書第２２頁第１５行〜第１６行の「画像記録装置」を、［電子スチルカメラ」と訂正する。
ｇ．明細書第２３頁第５行〜第９行の「さらに〜してもよい。」を削除する。
ｈ．明細書第２３頁第１４行と第１５行との間の「以上の実施例を包摂してなる〜特性が得られる。」を、「以上の実施例を包摂してなる本発明および種々の実施態様をその作用・効果と共に列記する：
〔１〕撮像手段と、当該撮像手段の出力である画像を記録するための記録手段とを有し、複数の画像を記録するに際し、記録すべき画像が属すべきグループを規定するための画像グループ情報発生手段と、上記記録すべき画像と当該画像に対応する画像グループ情報との対応関係を、記録媒体上に設けられたデータ領域に記録する手段とを備えた電子スチルカメラであって、
　上記画像グループ情報発生手段は、当該電子スチルカメラの外部に設けられた上記情報を更新可能なスイッチを含んで構成され、上記スイッチを誤って押した場合には、上記情報を上記スイッチに対する操作が行なわれる前の値に、電源スイッチをオフすることにより戻すことを特徴とする電子スチルカメラ。
　一般的に、撮影者にとって、撮影済みの画像が被写体の種別やイベント或いは撮影日等により分類されていることが望ましい。このような分類のための作業は、通常は撮影が終了した後に行われる。
　上記〔１〕の電子スチルカメラによれば、撮影を実行しながら分類やグループ化を行うことができる。また、グループ化のための情報が記録媒体上に設けられたデータ領域に記憶されているため、各画像を逐一再生することなく検索を行えるため、検索効率が格段に向上する。又、通常は撮影の継続中に判断される画像のグループ化の形態がスイッチに対する操作によって即時に更新乃至設定することができる。
〔２〕上記画像と画像グループ情報との対応関係を表示する表示手段とを有することを特徴とする上記〔１〕に記載の電子スチルカメラ。
　上記〔２〕の電子スチルカメラによれば、画像の検索者は、例えばキャラクター情報などによって表わされたイベント名（画像グループ情報）を参照できるので、目的とする画像グループを直ちに確認できる。
〔３〕上記表示手段は画像グループ情報と記録画像のコマ番号を表示するように構成されたものであることを特徴とする上記〔２〕に記載の電子スチルカメラ。
　上記〔３〕の電子スチルカメラによれば、グループ情報に加え、記録画像のコマ番号も表示できるため、目的グループ内の特定のコマ（画像）を直ちに特定できる。
〔４〕上記記録されたグループ情報により、一つのグループを選択設定する手段と、選択されたグループに属する記録済み画像を上記記録媒体より再生する再生手段とを有してなることを特徴とする上記〔１〕に記載の電子スチルカメラ。
　上記〔４〕の電子スチルカメラによれば、記録済み画像のうちから特定の画像グループを選択設定できるため、短時間で画像の再確認ができる。
〔５〕着脱可能な記録媒体の装着の有無を検出する媒体着脱検知手段と、上記画像グループ情報を媒体着脱時に出力される上記媒体着脱検知信号によって更新する制御手段とを有してなることを特徴とする上記〔１〕に記載の電子スチルカメフ。
　上記〔５〕の電子スチルカメラによれば、通常操作者の意図に応じてなされるものである媒体着脱時に画像グループの更新がなされるため、操作者の負担が少ないマンマシンインターフェイスが実現される。
〔６〕上記記録媒体としてメモリー力ードを適用するようになされたことを特徴とする上記〔１〕に記載の電子スチルカメラ。
　上記〔６〕の電子スチルカメラによれば、媒体がアクセスの性能に優れるため、情報の検索に係る即時性や、グループ情報の設定・更新の容易性が一層向上する。
〔７〕上記記録画像と当該画像に対応する画像グループ情報との対応関係を、不揮発性メモリのデータ領域に記録する手段を備えてなることを特徴とする上記〔１〕に記載の電子スチルカメラ。
　一般に、画像グループ情報は頻繁に更新・設定され得るが、電源異常（電池切れ等）によって情報が失われてはならない。上記〔７〕の装置によれば、不揮発性メモリを採用しているため、アクセスが遠く、情報の保持についても安定した特性が得られる。」と訂正する。
ｉ．明細書第２３頁第１６行〜第２４頁第１５行の【発明の効果】の「本発明〜実現される。」を、「本発明によれば、所望のグループ（イベントの種別等）に属する記録画像を簡単且つ迅速に検索することのできる電子スチルカメラが実現される。」と訂正する。
ｊ．明細書第１４頁第２行の「表示器３５」を、「表示器３６」と訂正する。
イ、訂正の目的の適否、新規事項の有無及び拡張・変更の存否
　上記訂正事項ａは、請求項６を削除すると共に、請求項１の「画像記録装置」を、下位概念である「電子スチルカメラ」に限定し、さらに限定事項（「上記画像グループ情報発生手段は、当該電子スチルカメラの外部に設けられた上記情報を更新可能なスイッチを含んで構成され、上記スイッチを誤って押した場合には、上記情報を上記スイッチに対する操作が行なわれる前の値に、電源スイッチをオフすることにより戻す」点）を付加し、それに伴い、もとの請求項８を、請求項７に繰り上げ、その請求項７を、請求項１を引用した記載に訂正したものであり、特許請求の範囲の減縮に該当し、また請求項２の記載において、引用する請求項２を、請求項１とする訂正は、誤記の訂正に該当する。また、上記訂正事項ｂ〜ｉは、上記特許請求の範囲の訂正に伴い、これと整合を図るためのものであり、明りょうでない記載の釈明に該当し、上記訂正事項ｊは、誤記の訂正に該当する。
　そして、上記訂正事項ａ〜ｊは、いずれも特許明細書に記載されている事項の範囲内のものであり、特に請求項１の限定事項である「上記スイッチを誤って押した場合には、上記情報を上記スイッチに対する操作が行なわれる前の値に、電源スイッチをオフすることにより戻す」点は、特許明細書の【実施例】（第１７頁第１５行〜第１９行）の「尚、ステップ３ｋにおいてユーザが誤ってイベントボタン３４を押してしまった場合には、一旦電源スイッチをオフすればよい。これによりイベント番号の値はイベントボタン３４が押される前の値に戻る。」とある記載に基づくものであり、上記訂正事項ａ〜ｊは、新規事項の追加に該当せず、また実質上特許請求の範囲を拡張し、又は変更するものでもない。
ウ．むすび
　以上のとおりであるから、上記訂正は、特許法第１２０条の４第２項及び第３項において準用する特許法第１２６条第２項及び第３項の規定に適合するので、当該訂正を認める。
III【特許異議の申立てについて】
ア．本件発明
　訂正明細書の請求項１〜７に係る発明（以下「本件発明１〜７」という。）は、上記訂正事項ａの特許請求の範囲の請求項１〜７に記載されたとおりのものである。
イ．申立ての理由の概要
　異議申立人相原光政は、証拠として甲第１号証：特開昭５６−７２７７３号公報、甲第２号証：実願昭６３−５５２１５号（実開平１−１６０４３３号）のマイクロフィルム、甲第３号証：特開昭６３−２８６０７７号公報、甲第４号証：特開昭６２−１７７７５２号公報を提出し、請求項１、８に係る発明は、甲第１号証に記載された発明と同一であり、特許法第２９条第１項の規定により特許を受けることができず、また請求項１〜８に係る発明は、甲第１号証〜甲第４号証に記載された発明に基づいて容易に発明することができたものであり、特許法第２９条第２項の規定により、特許を受けることができない旨主張している。
　さらに、同申立人は、本件発明におけるグループ情報は、複数の画像を管理するための情報であり、単数のものを排除していることは明らかであるが、本件の出願当初の明細書に記載のイベント情報には、このような単数ものを排除するグループ情報という概念は無く、このようなグループ情報という概念を加えた補正は、出願当初の明細書に記載された範囲を越えるものであり、すなわち要旨を変更する補正をして特許されたものであるので、その出願日は当該補正書の提出日に繰り下がるので、本件の公開公報（特開平３−２０５９７４号公報）によって拒絶されるべきものであるから、特許を取り消すべき旨主張している。
ウ．引用刊行物記載の発明
　本件発明１〜７に対して、当審が通知した取消理由に引用した刊行物１：特開昭５６−７２７７３号公報には、「画像情報記憶検索方式」（発明の名称）に関し、図面と共に次のとおりの記載がある。
１．「たとえば文書などの画像情報を記憶し、それを必要に応じて検索出力し得る画像情報記憶検索装置」（公報第１頁右下欄第３行〜第５行）
２．「文書などの画像情報Ｐ１は、２次元走査装置（スキャナ、ＳＣ．）４によって２次元的に光走査して光電変換され、この光電変換された画像情報（ビデオ信号）は、制御装置１を介して記録装置（プリンタ、ＰＲ．）５あるいは画像情報記憶装置としての磁気テープ装置（ＬＶＲ）６へ供給される。」（公報第２頁左下欄第６行〜第１２行）
３．「インデックスコード（ＩＤＣ）、このインデックスコード名を有する画像情報が記録されているトラック番号（ＴＮＯ）、およびこの画像情報が記録されている最初のブロック番号（ＢＯＮ）からなる。」（公報第３頁左下欄第１６行〜第２０行）
４．「コンテキーＫ４が押されていた場合（連続モード）について説明する。フローＦ１０における判別の結果、コンテキーＫ４が押されていた場合、一連の文書を連続的に記憶する連続モードであるのでＣＰＵ７はフローＦ１６にてコンテフラグをセットする。また、ＣＰＵ７はこのフローＦ１６にて、第９図（ｂ）のように一時記憶部１１の「Ｄ」桁に特殊コード（Ｐ）、「Ｅ」、「Ｆ」桁に頁情報（ＰＤ）つまり１頁目を示す「０１」、「０」〜「Ｃ」桁にインデックスコード（ＩＤＣ）をそれぞれ記憶する。こうしてフローＦ１６の処理が終了すると、ＣＰＵ７は前述した通常モードの場合と同様にフローＦ１２〜Ｆ１５へと順次進行し、フローＦ４に戻る。これで一連の文書の１枚目（１頁目）の文書に対する記憶処理が終了」（公報第６頁右上欄第４行〜第２０行）
５．「オペレータは、引き続き連続モードで行う場合はスタートキーＫ５を押し、通に常モードに切換える場合は新しいインデックスコードを入力してスタートキーＫ５を押し、異なるインデックスコードで再び連続モードとする場合は、新しいインデックスコードを入力してコンテキーＫ４およびスタートキーＫ５を順次押す。」（公報第６頁左下欄第１０行〜第１７行）
６．「フローＦ２０にて一時記憶部１１の頁情報を「十１」して「０２」とする。なお、この場合は連続モードであるので、一時記憶部１１のインデックスコードは書き替えられることなくそのままである。しかして、フローＦ１６の処理が終了すると、ＣＰＵ７は再びフローＦ１２からＦ１５へと進行し、フローＦ４に戻る。これで一連の文書の２枚目（２頁目）の文書に対する記憶処理が終了」（公報第６頁右下欄第９行〜第１７行）
７．「一連の文書を連続的に記憶する場合は、１枚目のときにのみインデックスコードを入力し、２枚目以後はインデックスコードを入力することなく記憶操作のみを行えばよい。したがって、この場合の各インデックス情報は、インデックスコードが同一で頁情報が１つずつ繰り上がったものとなる。すなわち、単一のインデックスコードに連続符号（連続頁番号）を付加して記憶するようになる。」（公報第７頁左上欄第１行〜第９行）
８．「しかして、一連の文書を記憶し終ると、イニシャライズキーＫ６を押すことにより、前述した通常モードの場合と同様な処理動作を経て、ＲＡＭ１０の第１指定領域において編集し直した新インデックス情報群をインデックス記録トラック２８１に記憶する。」（公報第７頁左上欄第１６行〜右上欄第１行）
　同じく引用した刊行物２：実願昭６３−５５２１５号（実開平１−１６０４３３号）のマイクロフィルム（上記甲第２号証）には、「データ写し込み装置を備えたカメラ」（考案の名称）に関し、図面と共に次のとおりの記載がある。
「モード入力部５のモードキー５１によってインターバル撮影モードまたは連続撮影モードが選択されると、マイコン４から写し込みコマ数力ウン夕６へ撮影モード信号が出力され、それにより写し込みコマ数力ウンタ６においては、マイコン４からのカウントアップ信号により枝番力ウンタがカウントアップされる。このとき主力ウン夕は今までのカウント値を保持したままとなっており、したがって、フィルム上には第４図のｃ〜ｅで示すような枝番号が付されたコマ数が写し込まれる。」（公報第９頁第９行〜第１８行）
　同じく引用した刊行物３：特開昭６３−２８６０７７号公報には、「画像データ記録装置」に関し、図面と共に次のとおりの記載がある。
「データ・セレクタ１６はシステム・コントローラ２０によって制御され、上述の画像データ、記録済みコード、記録順序コード等のうち指定されたものをメモ　リ・カートリッジ１に送り出す。
・・・（中略）・・・画像メモリ・チップにはその容量に応じて１または複数駒分の画像データがストアされる。１駒分の画像データがストアされるエリアまたはメモリ・チップを、第１図では説明の便宜上メモリ２と呼ぶことにする。画像メモリ２が不揮発性メモリの場合には上記の電池は不要となろう。・・・（中略）・・・画像メモリ２には、画像データを記憶するエリアに加えて、記録済みコードおよび記録順序コードを記憶する場所がそれぞれ備えられている。」（公報第３頁左下欄第８行〜第４頁左上欄第４行）
　同じく引用した刊行物４：特開昭６２−１７７７５２号公報には、「再生装置」（発明の名称）関し、図面と共に次のとおりの記載がある。
「４８はフィールド再生もしくは記録、フレーム再生もしくは記録かのいずれが設定されているかを表示する表示ＬＥＤ」（公報第５頁左上欄第２０行〜右上欄第３行）
エ．対比・判断
　本件発明１と各刊行物に記載の発明を対比すると、次のことが認められる。
１．刊行物１には、画像情報記憶検索方式において、スキャナーで文書などの画像情報を取り込み、この画像情報を磁気テープへ記録すること、そしてその文書の複数ページに亘り共通なインデックスコードを付加し、このインデックスコードを用いて検索出力を得ることが記載されており（刊行物１の上記１．２．４．〜７．の記載参照）、また画像情報に対応するインデックスコードを磁気テープ上に記録することも示されており（刊行物１の上記３．８．の記載参照）、そのインデックスコードが、本件発明１でいう“画像グループ情報”に相当するものといえ、そしてインデックスコードと画像情報との対応関係も記録媒体上に記録しているといえ、その点では、本件発明１と共通している。
　しかしながら、刊行物１には、本件発明１の「上記画像グループ情報発生手段は、当該電子スチルカメラの外部に設けられた上記情報を更新可能なスイッチを含んで構成され、上記スイッチを誤って押した場合には、上記情報を上記スイッチに対する操作が行なわれる前の値に、電源スッチをオフすることにより戻す」点の構成（以下「構成Ａ」という。）について何も記載がなく、示唆もない。
２．刊行物２には、連続撮影モードにおいて主カウンタのカウント値を保持したまま枝番カウンタをカウントアップし、その値をフィルムに写し込むカメラが記載されており（刊行物２の上記記載参照）、また刊行物３には、画像データを記録したときに、その画像データに対応して、記録済みコードと記録順序コードとを記録するようにした画像データ記録装置が記載されており（刊行物３の上記の記載参照）、さらに刊行物４には、フィールド再生もしくは記録、フレーム再生もしくは記録かのいずれかが設定されているかを表示する再生装置が記載されている（刊行物４の上記記載参照）。
　しかしながら、それらの刊行物２〜４のいずれにも、本件発明１の上記構成Ａについては何も記載がなく、示唆もない。
３．以上のように各刊行物のいずれにも、本件発明１の上記構成Ａについて何も記載がなく、示唆もないのであるから、本件発明１は、各刊行物に記載された発明と同一であるとも、もしくはそれら各刊行物の記載の発明を組み合わせても本件発明を構成することが容易になし得るとはいえない。
　そして、本件発明１は、上記構成Ａを採用することにより、「所望のグループ（イベントの種別等）に属する記録画像を簡単且つ迅速に検索することのできる電子スチルカメラが実現される。」（訂正明細書の【発明の効果】の記載）、「電子スチルカメラの外部に設けられたスイッチにより、画像記録動作前に設定れている画像グループ情報を、随時、手動操作によって所望の内容のものに更新することが可能となる。しかも上記スイッチを誤って操作した場合には、電源スイッチをオフすることにより、上記情報を上記スイッチに対する操作が行なわれる前の値に戻すことができる。従って、極めて使い勝手にすぐれており、正しい再設定操作を容易に行なえる。」（異議意見書第３頁第１９行〜第２４行の記載）等の顕著な効果を奏するものといえる。
　よって、本件発明１の特許は、特許法第２９条第１項３号、もしくは特許法第２９条２項の規定に違反してされたものではない。
　また、本件発明２〜７は、本件発明１を引用し、さらに限定事項を付加したものであるから、本件発明１についての判断と同様の理由により、各刊行物に記載された発明と同一であるとも、もしくはそれら各刊行物の記載から容易になし得るとはいえない。
　さらに、要旨変更の補正を看過して特許されたという主張について以下に検討する。
　特許請求の範囲に記載の“画像グループ情報”とは、明細書の記載によれば、記録すべき画像が属すべきグループを規定する、すなわち記録すべき各画像がどのイベント（行事）に係わるかを示すイベント名（イベント番号）を指すものであり、前記“画像グループ情報”が、そのグループ内に単数の画像を含むことを排除しているとはいえず、出願当初の明細書に記載の“イベントインデックス情報”とは表現上の差異があるとしても、実質上の差異はなく、“イベントインデックス情報”を“画像グループ情報”に補正することは出願当初の明細書に記載された範囲内のものといえ、異議申立人の主張は採用できない。
IV【むすび】
　以上のとおりであるから、特許異議申立ての理由及び証拠によっては、本件発明１〜７に係る特許を取り消すことはできない。
　また、他に本件発明１〜７に係る特許を取り消すべき理由を発見しない。
　よって、結論のとおり決定する。　
【異議決定日】
平成１３年２月２日（２００１．２．２）
【訂正の要旨】
　訂正の要旨
・訂正事項ａ
　特許請求の範囲の［請求項１］〜［請求項８］を、特許請求の範囲の減縮および
誤記の訂正
　　　　　　記
「　【請求項１】
　撮像手段と、
当該
記録すべき画像
とを備えた電子スチルカメラであって、
　
上記画像グループ情報発生手段は、当該電子スチルカメラの外部に設けられた上記情報を更新可能なスイッチを含んで構成され、上記スイッチを誤って押した場合には、上記情報を１上記スイッチに対する操作が行なわれる前の値に、電源スイッチをオフすることにより戻すことを特徴とする電子スチルカメラ
　【請求項２】
　上記画像と画像グループ情報との対応関係を表示する表示手段とを有することを特徴とする
請求項１
電子スチルカメラ
　【請求項３】
　上記表示手段は画像グループ情報と記録画像のコマ番号を表示するように構成されたものであることを特徴とする
請求項２
電子スチルカメラ
　【請求項４】
　上記記録されたグループ情報により、一つのグループを選択設定する手段と、選択されたグループに属する記録済み画像を上記記録媒体より再生する再生手段とを有してなることを特徴とする請求項１に記載の
電子スチルカメラ
　【請求項５】
　着脱可能な記録媒体の装着の有無を検出する媒体着脱検知手段と、上記画像グループ情報を媒体着脱時に出力される上記媒体着脱検知信号によって更新する制御手段とを有してなることを特徴とする請求項１に記載の
電子スチルカメラ
　【請求項６】
　
上記記録媒体としてメモリーカードを適用するようになされたことを特徴とする請求項１に記載の電子スチルカメラ
　【請求項７】
　上記記録画像と当該画像に対応する画像グループ情報との対応関係を、不揮発性メモリのデータ領域に記録する手段を備えてなることを特徴とする請求項１に記載の電子スチルカメラ
・訂正事項ｂ
　訂正された請求項１〜７と［発明の名称］との整合を図るため、
明りょうでない記載の釈明
・訂正事項ｃ
　訂正された請求項１〜７と発明の詳細な説明における［産業上の利用分野］との整合を図るため、
明りょうでない記載の釈明
は、入
電子スチルカメラ
・訂正事項ｄ
　訂正された請求項１〜７と発明の詳細な説明との整合を図るため、
明りょうでない記載の釈明
・訂正事項ｅ
　訂正された請求項１〜７と発明の詳細な説明における［課題を解決するための手段および作用］との整合を図るため、
明りょうでない記載の釈明
　　　　　　記
「上記目的を達成するために、本願一の発明の電子スチルカメラは、撮像手段と、
当該
記録すべき画像
とを備えた電子スチルカメラであって、
　
上記画像グループ情報発生手段は、当該電子スチルカメラの外部に設けられた上記情報を更新可能なスイッチを含んで構成され、上記スイッチを誤って押した場合には、上記情報を上記スイッチに対する操作が行なわれる前の値に、電源スイッチをオフすることにより戻すことを特徴とし、
　また、本願他の発明の
電子スチルカメラ
、を
・訂正事項ｆ
　訂正された請求項１〜７と発明の詳細な説明との整合を図るため、
明りょうでない記載の釈明
・訂正事項ｇ
　訂正された請求項１〜７と発明の詳細な説明との整合を図るため、
明りょうでない記載の釈明
・訂正事項ｈ
　訂正された請求項１〜７と発明の詳細な説明との整合を図るため、
明りょうでない記載の釈明
　　　　　　記
「以上の実施例を包摂してなる本発明および種々の実施態様をその作用・効果と共に列記する：
〔１〕撮像手段と、
当該
記録すべき画像
とを備えた電子スチルカメラであって、
　
上記画像グループ情報発生手段は、当該電子スチルカメラの外部に設けられた上記情報を更新可能なスイッチを含んで構成され、上記スイッチを誤って押した場合には、上記情報を上記スイッチに対する操作が行なわれる前の値に、電源スイッチをオフすることにより戻すことを特徴とする電子スチルカメラ
　一般的に、撮影者にとって、撮影済みの画像が被写体の種別やイベント或いは撮影日等により分類されていることが望ましい。このような分類のための作業は、通常は撮影が終了した後に行われる。
　上記〔１〕の
電子スチルカメラ
又、通常は撮影の継続中に判断される画像のグループ化の形態がスイッチに対する操作によって即時に更新乃至設定することができる。
〔２〕上記画像と画像グループ情報との対応関係を表示する表示手段とを有することを特徴とする上記〔１〕に記載の
電子スチルカメラ
　上記〔２〕の
電子スチルカメラ
〔３〕上記表示手段は画像グルーブ情報と記録画像のコマ番号を表示するように構成されたものであることを特徴とする上記〔２〕に記載の
電子スチルカメラ
　上記〔３〕の
電子スチルカメラ
〔４〕上記記録されたグループ情報により、一つのグループを選択設定する手段と、選択されたグループに属する記録済み画像を上記記録媒体より再生する再生手段とを有してなることを特徴とする上記〔１〕に記載の
電子スチルカメラ
　上記〔４〕の
電子スチルカメラ
〔５〕着脱可能な記録媒体の装着の有無を検出する媒体着脱検知手段と、上記画像グループ情報を媒体着脱時に出力される上記媒体着脱検知信号によって更新する制御手段とを有してなることを特徴とする上記〔１〕に記載の
電子スチルカメラ
　上記〔５〕の
電子スチルカメラ
〔６〕上記記録媒体としてメモリーカードを適用するようになされたことを特徴とする上記〔１〕に記載の
電子スチルカメラ
　上記〔６〕の
電子スチルカメラ
〔７〕
上記
手段を
電子スチルカメラ
　一般に、画像グループ情報は頻繁に更新・設定され得るが、電源異常（電池切れ等）によって情報が失われてはならない。上記〔７〕の装置によれば、不揮発性メモリを採用しているため、アクセスが速く、情報の保持についても安定した特性が得られる。」
・訂正事項ｉ
　訂正された請求項１〜７と発明の詳細な説明における［発明の効果］との整合を図るため、
明りょうでない記載の釈明
のできる電子スチルカメラ
・訂正事項ｊ
　特許明細書第１４ページ第２行の「表示器３５」を、
誤記の訂正
（５４）【発明の名称】
電子スチルカメラ
（５７）【特許請求の範囲】
　【請求項１】
　撮像手段と、
当該
記録すべき画像
とを備えた電子スチルカメラであって、
　
上記画像グループ情報発生手段は、当該電子スチルカメラの外部に設けられた上記情報を更新可能なスイッチを含んで構成され、上記スイッチを誤って押した場合には、上記情報を上記スイッチに対する操作が行なわれる前の値に、電源スイッチをオフすることにより戻すことを特徴とする電子スチルカメラ
　【請求項２】
　上記画像と画像グループ情報との対応関係を表示する表示手段とを有することを特徴とする
請求項１
電子スチルカメラ
　【請求項３】
　上記表示手段は画像グループ情報と記録画像のコマ番号を表示するように構成されたものであることを特徴とする
請求項２
電子スチルカメラ
　【請求項４】
　上記記録されたグループ情報により、一つのグループを選択設定する手段と、選択されたグループに属する記録済み画像を上記記録媒体より再生する再生手段
　とを有してなることを特徴とする請求項１に記載の
電子スチルカメラ
　【請求項５】
　着脱可能な記録媒体の装着の有無を検出する媒体着脱検知手段と、上記画像グループ情報を媒体着脱時に出力される上記媒体着脱検知信号によって更新する制御手段とを有してなることを特徴とする請求項１に記載の
電子スチルカメラ
　【請求項６】
　
上記記録媒体としてメモリーカードを適用するようになされたことを特徴とする請求項１に記載の電子スチルカメラ
　【請求項７】
　上記記録画像と当該画像に対応する画像グループ情報との対応関係を、不揮発性メモリのデータ領域に記録する手段を備えてなることを特徴とする請求項１に記載の電子スチルカメラ
【発明の詳細な説明】
　【産業上の利用分野】
　本発明
は、入
電子スチルカメラ
　【従来の技術】
　電子スチルカメラは、被写体を撮像してその静止画像信号をスチルビデオフロッピディスク（ＳＶＦ）やメモリカードなどの記録媒体に記録し、のちに再生してモニタ装置に画像表示することにより上記被写体像を再現できるようにしたものである。１枚のＳＶＦには最大５０本の記録トラックが形成され、これらの記録トラックに１フィールド分の画像信号がそれぞれ記録される。したがって、例えば１フィールドで１画像を構成するフィールド記録モードの場合には、１枚のＳＶＦに最大５０コマの静止画像を記録することができ、また２フィールドで１画像を構成するフレーム記録モードの場合には、１枚のＳＶＦに最大２５コマの画像を記録することができる。
　第７図は従来の電子スチルカメラシステムの記録系と再生系の構成を示すものである。
　同図において、先ず記録系では、被写体の光学像は光学系１を介して例えば固体撮像素子からなる撮像部２で撮像され、この撮像部２で画像信号に変換される。この画像信号は、Ａ／Ｄ変換器３でディジタル信号に変換されたのち記録用のディジタルプロセス回路４に導入される。このディジタルプロセス回路４では、上記画像信号が色差信号と輝度信号とに分離され、システムコントローラ２０の指示に従ってこれらの色差信号および輝度信号毎にカラーマトリックス処理やガンマ補正等の所定の信号処理が行なわれる。尚、５は上記信号処理および後述するＳＶＦへの画像信号の書込みのために使用されるバッファメモリである。上記ディジタルプロセス回路４で信号処理が施された画像信号は、圧縮部６で帯域圧縮されさらに記録用増幅器７で増幅されたのち、切換スイッチ８を介して磁気ヘッド９に供給され、この磁気ヘッド９によりＳＶＦ１０の任意の記録トラックに記録される。このとき磁気ヘッド９の移動は、上記システムコントローラ２０の制御に従ってヘッド駆動部１１により行なわれ、またＳＶＦｌ０はスピンドルモータ１２により回転駆動される。
　一方再生系では、システムコントローラ２０の制御に従って磁気ヘッド９がＳＶＦ１０の所望の記録トラック位置に移動され、この状態で、上記磁気ヘッド９によりＳＶＦｌ０の記録トラックから記録画像信号が読み出される。この記録画像信号は、再生用増幅器１４で増幅されさらに伸長部１５で帯域が伸長されたのち、再生用のディジタルプロセス回路１６に導入される。このディジタルプロセス回路１６では、上記記録画像信号が色差信号と輝度信号とに分離され、上記システムコントローラ２０の制御に応じてこれらの色差信号および輝度信号毎にドロップアウト補償等の所定の信号処理が行なわれる。尚、１７はこのときの信号処理および後述するモニタ装置への画像信号の表示のために使用されるバッファメモリ１７である。上記ディジタルプロセス回路１６で信号処理が施された記録画像信号は、Ｄ／Ａ変換器１８でアナログ信号に戻されたのち、図示しないエンコーダで同期信号やバースト信号が付加されてモニタ装置１９に供給され、モニタ表示される。
　ところで、最近この種のシステムにおいて、記録媒体に記録された各画像の検索を容易にするために、各記録画像にフィールド画像かフレーム画像かを識別するための画像データや年月日、トラック番号等のデータを付加して記録しておき、再生時にこれらのインデックスデータを検索して画像表示用のモニタ装置に表示することが行なわれている（特開昭６２−９５８１号）。
　これを実現するためには、例えば第７図に示すように記録系にはインデックスデータの符号化部（ＥＮＣ）１３を設ける。そして、システムコントローラ２０からインデックスデータを出力し、このデータを上記符号化部１３で符号化して記録画像に多重化することによりＳＶＦｌ０に記録する。一方再生系においては、インデックスデータを復号するための復号部（ＤＥＣ）２１、キャラクタジェネレータ２２および文字挿入回路２３を設ける。そして、ＳＶＦｌ０から磁気へッド９により読み出されたインデックスデータを上記復号部２１で復号してシステムコントローラ２０に導き、このシステムコントローラ２０の制御によりキャラクタジェネレータ２２から上記インデックスデータに対応するキャラクタ情報を発生させ、このキャラクタ情報を文字押入回路２３で画像信号に押入することによりモニタ装置１９に表示させる。
　【発明が解決しようとする課題】
　ところがこのような従来のシステムでは、ＳＶＦのどの記録トラックにどのような種類（フィールド画像かフレーム画像か）の信号が記録されているか、または記録された年月日等については知ることができるが、各画像がどのような行事（イベント）に係わるものかについては、実際に各画像を再生してモニタ装置に表示しなければ確認することができなかった。例えば、記録トラック１〜２３に運動会の撮像画像が記録され、記録トラック２４〜３８には誕生会の撮像画像が、また記録トラック３９〜４７には旅行での撮像画像がそれぞれ記録されているＳＶＦにおいて、誕生会の撮像画像を再生したい場合には、従来のインデックスデータからでは記録画像の内容までは分からない。このため、ユーザは記録トラックを一つ一つ順に選択して、その記録画像をモニタ装置で確認することにより所望のイベントの記録画像を探さなければならず、したがって画像の検索に多くの時間と手間を要していた。
　そこで本発明は上記事情に着目し、所望のイベントの記録画像（或るグループに属する記録画像）を簡単かつ迅速に検索できるようにし、これにより画像の検索性をさらに高め得る
電子スチルカメラ
　【課題を解決するための手段および作用】
　上記目的を達成するために、本願一の発明の電子スチルカメラは、撮像手段と、
当該
記録すべき画像
とを備えた電子スチルカメラであって、
　
上記画像グループ情報発生手段は、当該電子スチルカメラの外部に設けられた上記情報を更新可能なスイッチを含んで構成され、上記スイッチを誤って押した場合には、上記情報を上記スイッチに対する操作が行なわれる前の値に、電源スイッチをオフすることにより戻すことを特徴とし、
　また、本願他の発明の
電子スチルカメラ
、を
　【実施例】
　第１図は、本発明の一実施例における画像記録再生装置である電子スチルカメラシステムの要部構成を示すものである。尚、同図において前記第７図と同一部分には同一符号を付して詳しい説明は省略する。
　本実施例のシステムは、ＳＶＦ１０の挿脱を検出するためのＳＶＦ挿柿脱検出器３１と、イベント番号を計数するためのイベントカウンタ３２と、イベント番号を含むインデックス情報を記録するためのインデックスメモリ３３とを備えている。このうちＳＶＦ挿悦検出器３１は、例えばマイクロスイッチまたは光スイッチからなり、第２図に示す如くシステム本体５０のＳＶＦ装着口５５内に設けてある。またインデックスメモリ３３は、Ｅ２ＰＲＯＭ等の不揮発性メモリにより構成される。
　さらに本実施例のシステムは、イベント番号を指定入力するためのイベントボタン３４と、イベント番号等を表示するための例えばＬＣＤからなる表示器３６とを備えている。上記イベントボタン３４および表示器３６は、例えば第２図に示す如くシステム本体５０の上部に互いに隣接して配設してある。尚、第２図において５１，５２，５３はそれぞれ鏡筒、ファインダおよびレリーズスイッチを示しており、また５４はズームボタンを示している。
　ところでシステムコントローラ４０は、例えばマイクロコンピュータを主制御部として有したもので、画像の撮像および記録に関わる通常の制御手段と、記録画像の再生およびモニタ表示に関わる通常の制御手段とに加えて、イベント情報設定制御手段４１と、イベント情報に基づく画像選択制御手段４２と、イベント情報表示制御手段４３とを備えている。
　イベント情報設定制御手段４１は、撮像画像をＳＶＦ１０に記録する際に、イベントカウンタ３２に記憶されているＳＶＦ１０の装着回数またはイベントボタン３４の操作回数に基づいてイベント番号を発生し、このイベント番号を撮像画像の各コマに対応付けてＳＶＦ１０に記録させるものである。
　画像選択制御手段４２は、ＳＶＦｌ０に記録されている記録画像を再生する際に、イベントボタン３４により入力されたイベント番号に対応する記録画像をＳＶＦ１０内から選択して再生するものである。
　イベント情報表示制御手段４３は、上記イベント情報設定制御手段４１によるイベント番号設定動作中および上記画像選択制御手段４２によるイベント番号入力指定動作中に、イベント番号値および記録トラック番号（記録画像のコマ番号）を表示駆動回路３５を介して表示器３６に表示させるものである。
　次に、以上のように構成されたシステムの動作をシステムコントローラ４０の制御手順にしたがって説明する。
　電源スイッチ（図示せず）が投入されると、システムコントローラ４０は第３図に示す如く、ステップ３ａで自身の状態を初期化したのち、ステップ３ｂで図示しないモード指定スイッチが記録モードに設定されているかまたは再生モードに設定されているかを判定する。そして、いま仮に記録モードが設定されていたとすると、システムコントローラ４０は以後次のように記録制御を実行する。
　すなわち、先ずステップ３ｃに移行し、ここでＳＶＦ挿脱検出出力を基にＳＶＦ１０が挿着済みであるか否かを判定する。ＳＶＦ１０が未挿着であれば、ステップ３ｄでＳＶＦｌ０の挿着を待つ。この状態でユーザがＳＶＦｌ０を挿着したとすると、システムコントローラ４０はこれをＳＶＦ挿脱検出器３１の検出出力により確認し、ステップ３ｅに移行してここでインデックスメモリ３３に記憶されているイベント番号の最大値、つまり既に使用されたイベント番号の最終値Ａを読出し、この値Ａをインクリメント（＋１）する。そして、このインクリメント後の殖（Ａ＋１）を新たなイベント番号として表示駆動回路３５を介して表示器３６に表示させる。つまり、このときにはＳＶＦｌ０の挿着回数に基づいてイベント番号値を設定する、所謂イベント番号自動設定モードが実行される。
　第５図はこうして設定されたイベント番号の表示結果の一例を示すもので、この例では記録トラック番号（コマ番号）も同時に表示している。したがってユーザは、この
表示器３６
　そして、この状態でユーザがレリーズボタン５３を押すと、システムコントローラ４０は、ステップ３ｆでこの操作を検出して撮像動作を行わせるとともに、ステップ３ｇでイベントカウンタ３２のカウント値を上記新たなイベント番号の値（Ａ＋１）にカウントアップし、続いてステップ３ｈで撮像信号および上記イベント番号（Ａ＋１）をＳＶＦ１０にそれぞれ記録する。尚、このとき撮像信号は記録トラックに、またイベント番号はこの記録トラックの番号に対応付けられてデータ記録用のトラックに記録される。そうして記録が終了すると、システムコントローラ４０はステップ３ｉでインデックスメモリ３３に記憶されているイベント番号の値（Ａ）を上記新たな値（Ａ＋１）に書換え、続いて電源スイッチがオフされれば動作を終了する。
　これに対し、続けて撮像記録を行なう場合にはステップ３ｂに戻る。そして、撮像記録の場合にはステップ３ｃでＳＶＦ１０の挿着の有無を判定し、いまは挿着流みなのでステップ３ｋに移行する。尚、ＳＶＦ１０を装着した状態で電源スイッチをオンした場合にも、このステップ３ｋに移行する。このステップ３ｋおよびステップ３１では、それぞれ紅イベントボタン３４が押されたか否かと、レリーズボタン５３が押されたか否かが繰り返し判定され、この状態でレリーズボタン５３が押されるとシステムコントローラ４０は撮像動作を行なってこれに、より得られた撮像画像信号をステップ３ｈでＳＶＦｌ０の次の記録トラックに記録させる。尚、このときＳＶＦ１０のデータ記録用のトラックには、先に設定された新たなイベント番号（Ａ＋１）がイベントカウンタ３２から読み出されて記録される。
　以後、レリーズボタン５３が押される毎に新たな撮像動作およびその画像信号の記録動作が行われ、それに付随して上記イベント番号（Ａ＋１）がＳＶＦ１０のデータ記録用トラックに記録される。すなわち、ＳＶＦ１０を挿着したまま撮像操作を継続すれば、これらの撮像により得られた画像信号には各々共通のイベント番号（Ａ＋１）が対応付けられて記録される。
　一方、上記ステップ３ｋおよびステップ３１によるイベントボタン３４およびレリーズボタン５３の操作監視中に、例えばユーザが別のイベントを撮像するためにイベントボタン３４を押したとする。そうすると、システムコントローラ４０はステップ３ｋからステップ３ｍに移行し、ここでイベントカウンタ３２に現在記憶中のイベント値（Ａ＋１）をインクリメント（＋１）して、この新たなイベント値（Ａ＋２）を表示器３６に表示させる。すなわち、この場合にはイベントボタン３４の操作によりイベント番号を設定する、所謂イベント番号手動設定モードが実行される。
　そうして新たなイベント番号の設定操作が終了すると、システムコントローラ４０はステップ３ｎでレリーズボタン５３の操作監視を行ない、この状態でレリーズボタン５３が押されればステップ３ｇに移行し、ここでイベントカウンタ３２の値（Ａ＋１）をカウントアップしたのち、ステップ３ｈでＳＶＦ１０への撮像画像信号の記録およびイベント番号（Ａ＋２）の記録を行なう。この記録動作が終了すると、ステップ３ｉでインデックスメモリ３３に記憶されているイベント番号の値（Ａ＋１）を、上記新たなイベント番号値（Ａ＋２）に書換え、以後レリーズボタンが押されるごとに、ステップ３ｋ，３１からステップ３ｈおよびステップ３ｉを実行したのちステップ３ｊ，３ｂ，３ｃを経てステップ３ｋ，３１に戻る一連の制御を繰り返す。
　尚、ステップ３ｋにおいてユーザが誤ってイベントボタン３４を押してしまった場合には、一旦電源スイッチをオフすればよい。これによりイベント番号の値はイベントボタン３４が押される前の値に戻る。
　さらに、挿着中のＳＶＦ１０が撮り終わり、このＳＶＦ１０に代わって新しいＳＶＦ１０を挿着して同じイベントの撮像を続ける場合には、新しいＳＶＦ１０を挿着したのち一旦電源スイッチをオフすればよい。この様にすれば、ＳＶＦの挿着回数からイベント番号を設定するイベント番号自動設定モードから、イベントボタン３４の操作によりイベント番号を設定するイベント番号手動設定モードとなり、このままイベントボタン３４を押さずにレリーズボタン５３を押せば、ＳＶＦ１０の交換前のイベント番号により撮像を行なうことができる。
　次に、再生モードが指定されている場合の動作について説明する。ステップ３ｂで再生モードが検出されると、システムコントローラ４０は再生制御を実行する。すなわち、第４図に示す如く先ずステップ４ａでＳＶＦ１０が挿着済みか否かを判定し、未挿着であればステップ４ｂでＳＶＦ１０の挿着を待つ。この状態でＳＶＦ１０が挿着されると、ステップ４ｃに移行してここでＳＶＦ１０のデータ記録用トラックに記録されているイベント番号のうち、番号が最も若いもの（例えばＡ＋１）を読出し、このイベント番号（Ａ＋１）をステップ４ｄでモニタ装置１９の画面上にモニタ表示させる。そして、ステップ４ｅに移行し、ここでＳＶＦ１０に記録されている各画像のうち、上記イベント番号（Ａ＋１）に対応する記録画像のうちのコマ番号が最も若いものを選択して再生させ、モニタ装置１９に表示させる。尚、このときモニタ画面上には、例えば第６図（ａ）に示す如く上記ステップ４ｄで表示したイベント番号およびコマ番号も合わせて表示される。
　さて、この状態でユーザが希望するイベントの画像をモニタ表示させるために、イベントボタン３４を押したとする。そうすると、このイベントボタン３４の操作はステップ４ｆで検出され、システムコントローラ４０はステップ４ｇで該当するイベント番号（Ａ＋２）がＳＶＦ１０のデータ記録用トラックに記録されているか否かを確認する。いま該当するイベント番号（Ａ＋２）が記録されていたとすると、システムコントローラ４０はステップ４ｈに移行してここで上記イベント番号（Ａ＋２）をその最初のコマ番号と共にモニタ装置１９にモニタ表示させる。そして、ステップ４ｉで電源スイッチのオフ操作が検出されなければ、ステップ４ｅに移行してここでＳＶＦ１０から上記イベント爵号（Ａ＋２）に対応する記録面像のうちのコマ番号が最も若い記録画像を選択的に読出して再生させ、例えば第６図（ｂ）に示す如くモニタ装置１９に表示させる。
　以後同様に、イベントボタン３４が１回押されるごとに、ＳＶＦ１０のデータ記録用トラックに記録されているイベント番号が順に選択され、このイベント番号に対応する記録画像が選択的にＳＶＦ１０から読み出されてモニタ装置１９にモニタ表示される。
　したがって、ユーザはモニタ装置１９に表示されるイベント番号を見ながらイベントボタン３４を押すことにより、所望のイベント画像を逸早くモニタ表示させることができる。
　尚、希望するイベント番号が選択された状態で、このイベントに係わる各コマを選択する場合には図示しないコマ選択ボタンを押せばよい。
　この様に本実施例であれば、撮像画像をＳＶＦ１０に記録する際に、ＳＶＦ１０の挿着回数またはイベントボタン３４の操作回数に応じてイベント番号を発生し、このイベント番号を撮像画像の各コマに対応付けてＳＶＦ１０のデータ記録用トラックに記録するようにしたので、撮像画像はそのイベントを表わす情報が付加された状態でＳＶＦ１０に記録されることになり、その結果イベント単位で各記録画像を管理することが可能となる。
　また、ＳＶＦ１０に記録された画像を再生表示する際には、イベントボタン３４によりイベント番号を指定し、この指定されたイベントと番号に対応する記録画像をＳＶＦ１０から選択的に再生してモニタ表示するようにしたので、記録画像はイベント単位で選択的に再生表示されることになり、これによりユーザは希望するイベントの画像が記録媒体のどの記録トラックに記録されているかをたとえ知らなくても、イベント情報さえ知っていれば、希望する記録画像を即時再生しモニタ表示させることができる。すなわち、記録画像の検索性を大幅に向上させることができる。この効果は、例えば多数コマの画像を記録可能なＳＶＦから所望の画像を検索する場合や、ＳＶＦ複数枚分の記録画像を大容量の磁気ディスクや光ディスク等にまとめて記録しておき、これらのディスクから所望の画像を選択的にモニタ表示させる場合に特に有効である。
　尚、本発明は上記実施例に限定されるものではない。例えば、上記実施例では画像の記録機能および再生機能をそれぞれ備えた電子スチルカメラシステムについて説明したが、記録機能のみを備えた喧子スチルカメラや再生機能のみを備えた
電子スチルカメラ
　また、前記実施例ではイベント番号をイベントボタン３４を押す回数により指定できるようにしたが、テンキースイッチを用いて任意の番号を指定入力するようにしてもよく、さらにイベント情報としては番号以外にイベント名をキャラクタ情報により入力してもよい。
　また記録媒体としては、ＳＶＦ以外にメモリカード等の別のものを使用しても
よい。
　その他、イベント情報発生手段およびイベント情報入力手段の構成、イベント情報記録制御手段および画像再生選択制御手段の制御手順および制御内容等についても、本発明の要旨を逸脱しない範囲で種々変形して実施できる。
　以上の実施例を包摂してなる本発明および種々の実施態様をその作用・効果と共に列記する：
〔１〕撮像手段と、
当該
記録すべき画像
とを備えた電子スチルカメラであって、
　
上記画像グループ情報発生手段は、当該電子スチルカメラの外部に設けられた上記情報を更新可能なスイッチを含んで構成され、上記スイッチを誤って押した場合には、上記情報を上記スイッチに対する操作が行なわれる前の値に、電源スイッチをオフすることにより戻すことを特徴とする電子スチルカメラ
　一般的に、撮影者にとって、撮影済みの画像が被写体の種別やイベント或いは撮影日等により分類されていることが望ましい。このような分類のための作業は、通常は撮影が終了した後に行われる。
　上記〔１〕の
電子スチルカメラ
又、通常は撮影の継続中に判断される画像のグループ化の形態がスイッチに対する操作によって即日に更新乃至設定することができる。
〔２〕上記画像と画像グループ情報との対応関係を表示する表示手段とを有することを特徴とする上記〔１〕に記載の
電子スチルカメラ
　上記〔２〕の
電子スチルカメラ
〔３〕上記表示手段は画像グループ情報と記録画像のコマ番号を表示するように構成されたものであることを特徴とする上記〔２〕に記載の
電子スチルカメラ
　上記〔３〕の
電子スチルカメラ
〔４〕上記記録されたグループ情報により、一つのグループを選択設定する手段と、選択されたグループに属する記録済み画像を上記記録媒体より再生する再生手段とを有してなることを特徴とする上記〔１〕に記載の
電子スチルカメラ
　上記〔４〕の
電子スチルカメラ
〔５〕着脱可能な記録媒体の装着の有無を検出する媒体着脱検知手段と、上記画像グループ情報を媒体着脱時に出力される上記媒体着脱検知信号によって更新する制御手段とを有してなることを特徴とする上記〔１〕に記載の
電子スチルカメラ
　上記〔５〕の
電子スチルカメラ
〔６〕上記記録媒体としてメモリーカードを適用するようになされたことを特徴とする上記〔１〕に記載の
電子スチルカメラ
　上記〔６〕の
電子スチルカメラ
〔７〕
上記
手段を
電子スチルカメラ
　一般に、画像グループ情報は頻繁に更新・設定され得るが、電源異常（電池切れ等）によって情報が失われてはならない。上記〔７〕の装置によれば、不揮発性メモリを採用しているため、アクセスが速く、情報の保持についても安定した特性が得られる。
　【発明の効果】
　本発明によれば、所望のグループ（イベントの種別等）に属する記録画像を簡単且つ迅速に検索すること
のできる電子スチルカメラ
【図面の簡単な説明】
　第１図は本発明の一実施例における電子スチルカメラシステムの要部構成を示す機能ブロック図、第２図は同システムの外観を示す斜視図、第３図および第４図は第１図に示したシステムのシステムコントローラの制御手順および制御内容を示すフローチャート、第５図および第６図はそれぞれイベント情報の表示例を示す図、第７図は従来の電子スチルカメラシステムの概略構成を示す回路ブロック図である。
１…光学系、２…固体撮像素子、３…Ａ／Ｄ変換器、４…記録用のディジタルプロセス回路、５，１７…バッファメモリ、６…圧縮部、７…記録川増幅器、８…切換部、９…磁気ヘッド、１０…ＳＶＦ、１１…ヘッド駆動部、１２…スピンドルモータ、１３…エンコーダ、１４…再生用増幅器、１５…仲長部、１６…再生用のディジタルプロセス回路、１８…Ｄ／Ａ変換器、１９…モニタ装置、２０，４０…システムコントローラ、２１…デコーダ、２２…キャラクタジェネレータ、２３…挿入回路、３１…ＳＶＦ挿脱検出器、３２…イベントカウンタ、３３…インデックスメモリ、３４…イベントボタン、３５…表示駆動回路、３６…表示器、４１…イベント情報設定制御手段、４２…画像選択制御手段、４３…イベント情報表示制御手段。